(57)【特許請求の範囲】
【請求項１】
少なくとも１つの医用画像の表示に関する複数の表示条件のうちの少なくとも一部である可変条件を人為的な指定に応じて設定する設定手段と、
前記設定手段による前記可変条件の設定を反映した前記複数の表示条件に応じて前記医用画像を表示する表示手段と、
前記表示手段により表示された前記医用画像を医用レポートに採用する旨の人為的な指定に応じて、前記設定手段により設定された前記可変条件と、前記医用画像を表示するためのアプリケーションに関する情報とを少なくとも表した条件情報を作成する作成手段とを具備したことを特徴とする医用画像表示装置。
【請求項２】
前記可変条件は、複数の前記医用画像に関するそれらが取得された時間の相関、前記医用画像の表示状態の変更量、同時表示する複数の前記医用画像の表示状態の相対関係、前記医用画像を表示するために使用する画像処理の実行条件のうちの少なくとも１つを含むことを特徴とする請求項１に記載の医用画像表示装置。
【請求項３】
医用画像保管装置から前記医用画像を表す医用画像データとこの医用画像データを得るための医用画像診断装置の動作条件を表したオブジェクトとを取得する取得手段をさらに備え、
前記作成手段は、前記医用レポートに採用する旨の指定がなされた前記医用画像を表す前記医用画像データに関して前記取得手段により取得された前記オブジェクトを、前記可変条件を少なくとも表すように更新することによって前記条件情報を作成することを特徴とする請求項１又は２に記載の医用画像表示装置。
【請求項４】
少なくとも１つの医用画像の表示に関する複数の表示条件のうちの少なくとも一部である可変条件を人為的な指定に応じて設定する設定手段と、
前記設定手段による前記可変条件の設定を反映した前記複数の表示条件に応じて前記医用画像を表示する表示手段と、
前記表示手段により表示された前記医用画像を医用レポートに採用する旨の人為的な指定に応じて、前記設定手段により設定された前記可変条件と、前記医用画像を表示するためのアプリケーションに関する情報とを少なくとも表した条件情報を作成する作成手段とを具備した医用画像表示装置とともに医用画像診断支援システムを構成するレポート表示装置であって、
医用レポートを表したレポート情報を取得するレポート取得手段と、
前記レポート情報に少なくとも１つの医用画像が関連付けられている場合に、当該医用画像を表す医用画像データと、この医用画像データに関して前記作成手段により作成された前記条件情報とを取得する画像取得手段と、
前記レポート取得手段により取得された前記レポート情報が表す前記医用レポートを表示するとともに、前記画像取得手段により取得された前記条件情報に表された表示条件で前記画像取得手段により取得された前記医用画像データが表す医用画像をアプリケーションプログラムに基づき表示する表示手段と、
前記画像取得手段により取得された前記条件情報に表されたアプリケーションに関する情報に基づき、当該条件情報に表された表示条件で前記医用画像を表示するための処理を前記表示手段が行うにあたって不足するアプリケーションプログラムの有無を判定し、不足するアプリケーションプログラムがある場合に当該アプリケーションプログラムを取得するプログラム取得手段と、
を具備したことを特徴とするレポート表示装置。
【請求項５】
前記表示手段は、前記医用レポートを表示し、当該医用レポートに関連付けられている前記医用画像の表示が人為的に指定されたことに応じて当該医用画像を表示することを特徴とする請求項４に記載のレポート表示装置。
【発明の詳細な説明】
【技術分野】
【０００１】
本発明は、読影のために医用画像を表示する医用画像表示装置と、この医用画像表示装置を利用した読影の結果を反映して作成された医用レポートを表示するレポート表示装置とに関する。
【背景技術】
【０００２】
医療機関においては、医用画像に基づく医用診断を支援するための医用画像診断支援システムが利用されている。
【０００３】
この医用画像診断支援システムは、医用画像診断装置、医用画像保管装置、医用診断ワークステーションおよび医用レポート作成支援装置および医用レポート表示装置を含む。
【０００４】
医用画像診断装置は、被検体を撮影して医用画像を表す医用画像データを生成する。
【０００５】
医用画像保管装置は、医用画像診断装置で生成された医用画像データや医用レポート作成支援装置で生成されるレポートデータを保管する。
【０００６】
医用診断ワークステーションは、医用画像診断装置で保管されている医用画像データが表す医用画像の表示などを行って、当該医用画像に基づく読影医による読影を支援する。
【０００７】
医用レポート作成支援装置は、読影医やレポート作成オペレータなどによる指示に応じて医用レポートを表すレポートデータを生成する。
【０００８】
医用レポート表示装置は、医用画像保管装置により保管されているレポートデータが表す医用レポートを、診療医に目視させるべく表示する。
【０００９】
このようなシステムでは、医用診断ワークステーションにおいて読影医が選択したキー画像を、医用レポート作成支援装置で生成する医用レポートに関連付けることができる。そして医用レポート表示装置では、医用レポートに関連付けられた医用画像を必要に応じて表示することによって、キー画像を診療医が目視することを可能とする。
【発明の開示】
【発明が解決しようとする課題】
【００１０】
しかしながら従来では、医用レポート中にキー画像を表す医用画像データへのハイパーリンクを設定している。このため、キー画像が静止画であれば、読影医がキー画像として選択した画像をそのまま診療医が目視することが可能である。
【００１１】
しかしながら近年においては、医用画像診断装置の高機能化により、４Ｄ画像データや３Ｄボリュームデータが取得できるようになっている。これらのデータに基づいて表示される画像は、設定される表示条件に応じて変化する。このため、４Ｄ画像データや３Ｄボリュームデータがキー画像を表す医用画像データとして医用レポートに関連付けられた場合には、読影医がキー画像を選択した際に読影医が視覚していたのと同じ状態での表示を医用レポート表示装置において再現することが困難である。
【００１２】
本発明はこのような事情を考慮してなされたものであり、その目的とするところは、異なる表示条件で医用画像を表示することを可能とする画像データに基づく医用画像の表示に関して、当該医用画像が医用レポートに採用された際の表示状態を上記医用レポートの参照時に再現可能とすることにある。
【課題を解決するための手段】
【００１３】
本発明の第１の態様による医用画像表示装置は、少なくとも１つの医用画像の表示に関する複数の表示条件のうちの少なくとも一部である可変条件を人為的な指定に応じて設定する設定手段と、前記設定手段による前記可変条件の設定を反映した前記複数の表示条件に応じて前記医用画像を表示する表示手段と、前記表示手段により表示された前記医用画像を医用レポートに採用する旨の人為的な指定に応じて、前記設定手段により設定された前記可変条件と、前記医用画像を表示するためのアプリケーションに関する情報とを少なくとも表した条件情報を作成する作成手段とを備える。
【００１４】
本発明の第２の態様によるレポート表示装置は、少なくとも１つの医用画像の表示に関する複数の表示条件のうちの少なくとも一部である可変条件を人為的な指定に応じて設定する設定手段と、前記設定手段による前記可変条件の設定を反映した前記複数の表示条件に応じて前記医用画像を表示する表示手段と、前記表示手段により表示された前記医用画像を医用レポートに採用する旨の人為的な指定に応じて、前記設定手段により設定された前記可変条件と、前記医用画像を表示するためのアプリケーションに関する情報とを少なくとも表した条件情報を作成する作成手段とを具備した医用画像表示装置とともに医用画像診断支援システムを構成するレポート表示装置であって、医用レポートを表したレポート情報を取得するレポート取得手段と、前記レポート情報に少なくとも１つの医用画像が関連付けられている場合に、当該医用画像を表す医用画像データと、この医用画像データに関して前記作成手段により作成された前記条件情報とを取得する画像取得手段と、前記レポート取得手段により取得された前記レポート情報が表す前記医用レポートを表示するとともに、前記画像取得手段により取得された前記条件情報に表された表示条件で前記画像取得手段により取得された前記医用画像データが表す医用画像をアプリケーションプログラムに基づき表示する表示手段と、前記画像取得手段により取得された前記条件情報に表されたアプリケーションに関する情報に基づき、当該条件情報に表された表示条件で前記医用画像を表示するための処理を前記表示手段が行うにあたって不足するアプリケーションプログラムの有無を判定し、不足するアプリケーションプログラムがある場合に当該アプリケーションプログラムを取得するプログラム取得手段とを備える。
【発明の効果】
【００１５】
本発明によれば、異なる表示条件で医用画像を表示することを可能とする画像データに基づく医用画像の表示に関して、当該医用画像が医用レポートに採用された際の表示状態を上記医用レポートの参照時に再現可能となる。
【発明を実施するための最良の形態】
【００１６】
以下、図面を参照して本発明の一実施形態について説明する。
【００１７】
図１は本実施形態に係る医用画像診断支援システム１００の構成を示すブロック図である。
【００１８】
医用画像診断支援システム１００は、医用画像診断装置（以下、モダリティと称する）１、医用画像保管装置（以下、画像サーバと称する）２、医用レポート作成支援装置（以下、レポートサーバと称する）、医用診断ワークステーション（以下、読影クライアントと称する）４および医用レポート表示装置（以下、レポートビューアと称する）５をＬＡＮ（local area network）６を介してネットワーク接続して構成される。なお図１においては、医用画像診断支援システム１００が上記の各装置を１台ずつ備えているが、各装置はそれぞれ複数台が設けられても良い。
【００１９】
上記の各装置間での医用画像通信は、その標準規格であるＤＩＣＯＭ（digital imaging and communications in medicine）に準拠することが望ましいが、適宜、既成の別の標準規格を適用してもよい。なお、情報通信は、業界標準規格のＴＣＰ／ＩＰ（transmission control protocol/internet protocol）通信で、データはネットワークを介してパケットでやり取りされる。
【００２０】
モダリティ１は、被検体をスキャンして得られたデータから被検体に関する医用画像（以下、単に画像と称する）を生成する。モダリティ１としては、Ｘ線ＣＴ装置やＭＲＩ装置などの様々な種類のものを適宜に使用できる。またモダリティ１は、スキャンや医用画像生成に適用した条件を表した情報オブジェクト（以下、撮影条件オブジェクトと称する）を作成する。モダリティ１は、生成した医用画像を表す医用画像データや撮影条件オブジェクトを必要に応じて画像サーバ２へと送信する。
【００２１】
画像サーバ２は、モダリティ１から送信された医用画像データおよび撮影条件オブジェクトを記憶する。また画像サーバ２は、記憶している医用画像データを画像管理テーブルを利用して管理する。そして画像サーバ２は、読影クライアント４やレポートビューア５からの要求に応じて医用画像データおよび撮影条件オブジェクトを配信する。
【００２２】
レポートサーバ３は、読影クライアント４で作成されるレポートデータを記憶する。またレポートサーバ３は、記憶しているレポートデータをレポート管理テーブルを利用して管理する。そしてレポートサーバ３は、読影クライアント４やレポートビューア５からの要求に応じてレポートデータを配信する。
【００２３】
読影クライアント４は、画像サーバ２にて保管されている医用画像データが表す医用画像や、レポートサーバ３にて保管されているレポートデータが表す医用レポートを表示する。また読影クライアント４は、ユーザの操作に応じてレポートデータを作成する。読影クライアント４は、作成したレポートデータを必要に応じてレポートサーバ３へと送信する。
【００２４】
レポートビューア５は、画像サーバ２にて保管されている医用画像データが表す医用画像や、レポートサーバ３にて保管されているレポートデータが表す医用レポートを表示する。
【００２５】
図２は読影クライアント４の構成を示すブロック図である。
【００２６】
読影クライアント４は、データ送受信部４１、記憶部４２、表示部４３、操作部４４および制御部４５を含む。
【００２７】
データ送受信部４１は、ＬＡＮボードを含む。データ送受信部４１は、ＬＡＮ４を介して各種データを送受信する。記憶部４２は、画像データやレポートデータなどの各種のデータを記憶する。表示部４３は、医用画像や医用レポートなどのユーザに対して提示するべき各種の情報を制御部４５の制御の下に表示する。操作部４４は、ユーザにより読影クライアント４の各種の機能を操作するための各種の指示や情報をユーザの操作に応じて入力する。制御部４５は、読影クライアント４の各部を制御して、周知の読影クライアントが備える各種の機能を実現する。この機能には、医用画像保管装置２からの画像データの取得、取得した画像データに基づく医用画像の表示、医用レポートの作成、あるいは作成した医用レポートを表す医用レポートデータのレポートサーバ３への送信などを含む。また制御部４５は、図２に示すような表示条件設定機能４５ａ、表示処理機能４５ｂ、撮影条件オブジェクト取得機能４５ｃ、撮影条件オブジェクト更新機能４５ｄおよび撮影条件オブジェクト送信機能４５ｅを有している。
【００２８】
表示条件設定機能４５ａは、画像データに基づく医用画像の表示条件を設定する。表示条件設定機能４５ａは、表示条件のうちのいくつかの可変条件については、ユーザの指定に応じて設定する。表示処理機能４５ｂは、画像データに基づく医用画像を設定された表示条件に従って表示するための表示画像を作成し、この表示画像を表示部４３に表示させる。撮影条件オブジェクト取得機能４５ｃは、表示対象となっている医用画像に関する撮影条件オブジェクトを画像サーバ２から取得する。撮影条件オブジェクト更新機能４５ｄは、表示中の医用画像が医用レポートに関連付けるキー画像として選択された場合に、その医用画像の表示条件を表す条件情報を含むように撮影条件オブジェクトを更新する。撮影条件オブジェクト送信機能４５ｅは、上記のように更新された撮影条件オブジェクトを画像サーバ２へ送信する。
【００２９】
なお制御部４５は、プロセッサを備えており、このプロセッサが画像表示アプリケーションプログラムや医用レポート作成アプリケーションプログラムなどの各種のアプリケーションプログラムを実行することにより上記のような各種の機能が実現される。
【００３０】
図３はレポートビューア５の構成を示すブロック図である。
【００３１】
レポートビューア５は、データ送受信部５１、記憶部５２、表示部５３、操作部５４および制御部５５を含む。
【００３２】
データ送受信部５１は、ＬＡＮボードを含む。データ送受信部５１は、ＬＡＮ５を介して各種データを送受信する。記憶部５２は、画像データやレポートデータなどの各種のデータを記憶する。表示部５３は、医用画像や医用レポートなどのユーザに対して提示するべき各種の情報を制御部５５の制御の下に表示する。操作部５４は、ユーザによりレポートビューア５の各種の機能を操作するための各種の指示や情報をユーザの操作に応じて入力する。制御部５５は、レポートビューア５の各部を制御して、周知のレポートビューアが備える各種の機能を実現する。このために制御部５５は、図３に示すようなレポート取得機能５５ａ、画像取得機能５５ｂおよび表示処理機能５５ｃを有している。
【００３３】
レポート取得機能５５ａは、ユーザにより表示が要求された医用レポートを表すレポートデータをレポートサーバ３から取得する。画像取得機能５５ｂは、医用レポートに関連付けられた医用画像の表示がユーザにより要求された場合に、当該医用画像を表す画像データを画像サーバ２から取得する。画像取得機能５５ｂは、取得する画像データに関する撮影条件オブジェクトが画像サーバ２に保管されている場合には、これも取得する。表示処理機能５５ｃは、レポートデータや画像データが表す医用レポートや医用画像を表示する。
【００３４】
なお制御部５５は、プロセッサを備えており、このプロセッサがレポート表示アプリケーションプログラムなどの各種のアプリケーションプログラムを実行することにより上記のような各種の機能が実現される。
【００３５】
次に以上のように構成された医用画像診断支援システム１００の動作について説明する。なお、この医用画像診断支援システム１００は、同様な既存のシステムにおいて実現されている各種の動作を同様に実現できるが、その説明は省略する。そして以下では、この医用画像診断支援システム１００における特有の動作について説明する。
【００３６】
読影医が読影クライアント４を使用して医用レポートを作成または編集するに際して、モダリティ１により撮影されて画像サーバ２にて保管されている医用画像に基づく読影を行おうとする場合、読影医は読影クライアント４の操作部４４を操作して所望の医用画像の表示を要求する。この要求に応じて読影クライアント４の制御部４５は、図４に示す処理を開始する。なお制御部４５は、医用レポートを作成または編集するためのレポート作成処理を別途に実行している。
【００３７】
ステップＳａ１において制御部４５は、要求された医用画像を表す医用画像データと、この医用画像データに関する撮影条件オブジェクトとを画像サーバ２から取得する。そしてステップＳａ２において制御部４５は、上記の取得した医用画像データが表す医用画像をデフォルトの表示条件に従って表示するための表示画像を作成し、この表示画像を表示部４３に表示させる。
【００３８】
このようにして医用画像を表示させた状態で制御部４５は、ステップＳａ３およびステップＳａ４の待ち受け状態に移行する。この待ち受け状態において制御部４５は、医用画像の表示条件の変更が要求されるか、あるいは表示中の医用画像を作成中または編集中の医用レポートに関連付けることが要求されるのを待ち受ける。
【００３９】
ユーザが操作部４４での操作により表示条件の変更を要求したならば、制御部４５はステップＳａ３からステップＳａ５へ進む。ステップＳａ５において制御部４５は、ユーザが操作部４４を操作して行う指定を反映して新たな表示条件を設定する。表示条件には複数種の条件が含まれるが、これらの条件の全てにユーザの指定を反映しても良いし、一部の条件のみにユーザの指定を反映してその他の条件は固定的に定めても良い。
【００４０】
どの条件を可変とするかは任意であるが、本実施形態では時相、表示条件補正量および表示方法の３つを可変としている。
【００４１】
時相とは、複数の医用画像を関連付けて表示している場合における、それらの医用画像の時間的な関係を表す。時相は、例えば「３フェーズ中の２フェーズ目」などのように定められる。
【００４２】
表示条件補正量とは、時相毎に表示状態を変更（補正）する場合の補正量を表す。表示条件補正量は、例えば拡大率、表示座標、あるいは回転角度などにより設定される。
【００４３】
表示方法とは、複数の医用画像を関連付けて表示している場合における、それらの医用画像の表示方法の関係を表す。表示方法は、例えば各医用画像の表示位置、大きさ、あるいは表示形態（タイル表示／スタック表示／シネ表示）などである。
【００４４】
新たな表示条件を設定し終えたならば、ステップＳａ６において制御部４５は、医用画像を新たに設定された表示条件に従って表示するための表示画像を作成し、この表示画像を表示するように表示部４３の表示画面を更新する。こののちに制御部４５は、ステップＳａ３およびステップＳａ４の待ち受け状態に戻る。
【００４５】
一方、読影医は、表示部４３に表示されている医用画像がキー画像にふさわしいと判断したならば、操作部４４を操作して医用レポートへの関連付けを要求する。そうすると制御部４５は、ステップＳａ４からステップＳａ７へ進む。ステップＳａ７において制御部４５は、表示中の医用画像の識別情報をキー画像を識別するための情報としてレポート作成処理に渡す。そうするとレポート作成処理ではこの識別情報を、作成または編集中である医用レポートに関連付けられたキー画像の情報としてレポートデータに含める。通常、この識別情報は、ハイパーリンクのリンク先の情報としてレポートデータに含まれる。
【００４６】
ステップＳａ８において制御部４５は、ステップＳａ１にて取得した撮影条件オブジェクトを、現在設定されている表示条件を表した条件情報を含むように更新する。なお条件情報には、可変条件についての設定のみが記述されていても良いし、全ての表示条件が記述されていても良い。本実施形態においては、時相、表示条件補正量および表示方法の３つの可変条件と、画像表示アプリケーションに関する情報とを条件情報に少なくとも含むこととする。図５は時相、表示条件補正量、表示方法および画像表示アプリケーションに関する情報の撮影条件オブジェクトでの記述例を示す図である。そしてステップＳａ９において制御部４５は、更新後の撮影条件オブジェクトを画像サーバ２へ送信する。制御部４５は、これをもって図４に示す処理を終了する。
【００４７】
上記のように更新された撮影条件オブジェクトが画像サーバ２に到達すると、画像サーバ２は既に保管している撮影条件オブジェクトを更新された撮影条件オブジェクトにより上書きする。
【００４８】
なお、以上のような処理を伴って作成されたレポートデータは、読影クライアント４からレポートサーバ３へと送信されて、レポートサーバ３にて保管される。
【００４９】
診療医がレポートビューア５を使用して医用レポートを読む場合、診療医はレポートビューア５の操作部５４を操作して所望の医用レポートの表示を要求する。この要求に応じてレポートビューア５の制御部５５は、図６に示す処理を開始する。
【００５０】
ステップＳｂ１において制御部５５は、要求された医用レポートを表すレポートデータをレポートサーバ３から取得し、このレポートデータが表す医用レポートを表示部５３に表示させる。
【００５１】
このようにして医用レポートを表示させた状態で制御部５５は、ステップＳｂ２の待ち受け状態に移行する。この待ち受け状態において制御部５５は、表示中の医用レポートに関連付けられている医用画像の表示が要求されるのを待ち受ける。そしてこのような要求がなされたならば制御部５５は、ステップＳｂ２からステップＳｂ３へ進む。ステップＳｂ３において制御部５５は、要求された医用画像を表す医用画像データと、この医用画像データに関する撮影条件オブジェクトとを画像サーバ２から取得する。
【００５２】
ステップＳｂ４において制御部５５は、取得した撮影条件オブジェクトに条件情報が含まれているか否かを確認する。そして条件情報が含まれているならば、ステップＳｂ５において制御部５５は、撮影条件オブジェクトに含まれた画像表示アプリケーションの情報を参照して、撮影条件オブジェクトに含まれた条件情報が表す表示条件に従った表示状態での医用画像の表示のために必要な画像表示アプリケーションがレポートビューア５に存在するか否かを確認する。
【００５３】
必要な画像表示アプリケーションが不足しているときには、ステップＳｂ６において制御部５５は、不足している画像表示アプリケーションを実行するためのアプリケーションプログラムを取得する。このアプリケーションプログラムの取得は、例えばＷｅｂからのダウンロードにより実現できる。ただし、不足しているアプリケーションプログラムの全てを取得できるとは限らないので、そのようなアプリケーションプログラムの取得は断念する。そしてアプリケーションを取得し終えたならば、制御部５５はステップＳｂ７へ進む。なお、必要な画像表示アプリケーションが全て存在しているならば、制御部５５はステップＳｂ６をパスしてステップＳｂ５からステップＳｂ７へ進む。
【００５４】
ステップＳｂ７において制御部５５は、ステップＳｂ３にて取得した撮影条件オブジェクトに含まれた条件情報に基づいて表示条件を設定し、こののちにステップＳｂ９へ進む。条件情報に表された表示条件のうちにレポートビューア５では設定できない表示条件があったならば、この表示条件としてはデフォルトの表示条件またはユーザにより指定される表示条件を設定しても良い。なお、撮影条件オブジェクトに条件情報が含まれていなかった場合には、制御部５５はステップＳｂ４からステップＳｂ８へ進む。ステップＳｂ８において制御部５５は、撮影条件オブジェクトを参照することなしに表示条件を設定する。ここでは、デフォルトの表示条件を設定することとしても良いし、ユーザによる指定に応じて表示条件を設定することとしても良い。そして表示条件を設定し終えたならば、制御部５５はステップＳｂ９へ進む。
【００５５】
ステップＳｂ９において制御部５５は、ステップＳｂ３で取得した医用画像データが表す医用画像をステップＳｂ７またはステップＳｂ８にて設定された表示条件に従って表示するための表示画像を作成し、この表示画像を表示部５３に表示させる。
【００５６】
以上のように本実施形態によれば、読影クライアント４において医用画像がキー画像として決定された際における当該キー画像の読影クライアント４での表示条件を表す条件情報が撮影条件オブジェクトに含められる。そしてレポートビューア５においてキー画像を表示する際には、そのキー画像に関する撮影条件オブジェクトに含まれた条件情報が表す表示条件に従ってキー画像が表示される。従って、読影クライアント４での読影時におけるキー画像の表示状態が、レポートビューア５でのレポート参照時におけるキー画像の表示に際して再現できる。そしてこの結果、読影医がキー画像を選んだ際に目視していたのと同じ状態でそのキー画像を診療医が目視することができるから、診療医によるキー画像の参照を伴った医用レポートの確認が効率的になる。なお本実施形態は、キー画像を表す画像データが４Ｄデータや３Ｄボリュームデータのように表示状態を様々に変更することが可能なものである場合に特に有用である。
【００５７】
また本実施形態によれば、条件情報を撮影条件オブジェクトに含めるようにしているので、医用画像に付帯する情報オブジェクトを増加する必要がない。このため、情報オブジェクトの管理に係る手間を増大してしまうことがない。
【００５８】
また本実施形態によれば、条件情報に画像表示アプリケーションに関する情報を含めているため、条件情報に表された表示条件に従った表示状態を再現するために必要となる画像表示アプリケーションをレポートビューア５にて確認することができる。そして本実施形態によれば、レポートビューア５では、必要な画像表示アプリケーションが不足する場合には、それを実行するためのアプリケーションプログラムを取得する。従って、条件情報に表された表示条件に従った表示状態をより的確に再現することが可能である。
【００５９】
この実施形態は、次のような種々の変形実施が可能である。
【００６０】
条件情報は、撮影条件オブジェクト以外の情報オブジェクトに含めても良い。該当する情報オブジェクトとしては、例えばＤＩＣＯＭで規定されているＧＳＰＳ（grayscale softcopy presentation state）オブジェクトが挙げられる。また、条件情報専用の情報オブジェクトとしても良い。この場合に条件情報を含んだ情報オブジェクトは、その情報オブジェクトを元々保管しているサーバにて保管すれば良い。ただし、画像サーバ２またはレポートサーバ３や、あるいはこれ以外のサーバにおいて上記の情報オブジェクトを保管することもできる。
【００６１】
撮影条件オブジェクトは、撮影条件オブジェクト専用の管理テーブルにより管理されても良い。また撮影条件オブジェクトは、撮影条件オブジェクト保管のためのサーバやレポートサーバ３などのような画像サーバ２以外のサーバにより保存されても良い。
【００６２】
条件情報に表された表示条件に従った表示状態を再現可能な他のビューアアプリケーション（例えばＤＩＣＯＭビューア）がレポートビューア５にインストールされているならば、不足するアプリケーションプログラムの取得を行わずに上記のビューアアプリケーションを利用しても良い。
【００６３】
読影クライアント４の機能とレポートビューア５の機能とを兼ね備えたワークステーション（クライアント）を実現することも可能である。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６５】
【図１】本発明の一実施形態に係る医用画像診断支援システム１００の構成を示すブロック図。
【図２】図１中の読影クライアント４の構成を示すブロック図。
【図３】図１中のレポートビューア５の構成を示すブロック図。
【図４】図２中の制御部４５の処理手順を示すフローチャート。
【図５】時相、表示条件補正量、表示方法および画像表示アプリケーションに関する情報の撮影条件オブジェクトでの記述例を示す図。
【図６】図３中の制御部５５の処理手順を示すフローチャート。
【符号の説明】
【００６６】
１…医用画像診断装置（モダリティ）、２…医用画像保管装置（画像サーバ）、３…医用レポート作成支援装置（レポートサーバ）、４…医用診断ワークステーション（読影クライアント）、５…医用レポート表示装置（レポートビューア）、４１…データ送受信部、４２…記憶部、４３…表示部、４４…操作部、４５…制御部、４５ｂ…表示処理機能、４５ａ…表示条件設定機能、４５ｃ…撮影条件オブジェクト取得機能、４５ｄ…撮影条件オブジェクト更新機能、４５ｅ…撮影条件オブジェクト送信機能、５１…データ送受信部、５２…記憶部、５３…表示部、５４…操作部、５５…制御部、５５ａ…レポート取得機能、５５ｂ…画像取得機能、５５ｃ…表示処理機能、１００…医用画像診断支援システム。
【図１】
0005288815.tif 000002
【図２】
0005288815.tif 000003
【図３】
0005288815.tif 000004
【図４】
0005288815.tif 000005
【図５】
0005288815.tif 000006
【図６】
0005288815.tif 000007